(57)【要約】      （修正有）【課題】スクリーンが自動で人の顔に向くことができる表示装置を提供する。【解決手段】イメージ識別機能を有する自動回転表示装置は、頭部イメージ識別機能を有する自動回転表示装置を提供し、表示装置は、スクリーン、イメージ取得装置、制御モジュール及び駆動装置を含む。イメージ取得装置は、スクリーン前方のイメージを取得し、且つイメージ信号を相対して発生する。制御モジュールは、イメージ信号を受信し、顔の特徴に基づき、イメージ中の顔の位置を識別し、且つ顔の位置に基づき、座標情報信号を発生し、制御信号を発生し、制御信号及び座標情報信号は、相対する。駆動装置は、スクリーンと接続し、駆動装置は、制御信号を受信し、駆動され、且つ座標情報信号に基づきスクリーンを回転させ、スクリーンを顔に向かせる。【選択図】図１
0003169755.tif 000002
【実用新案登録請求の範囲】
【請求項１】
スクリーン前方のイメージを取得し、且つイメージ信号を相対して発生するイメージ取得装置と、
イメージ信号を受信し、顔の特徴に基づき、イメージ中の顔の位置を識別し、且つ顔の位置に基づき、座標情報信号を発生し、制御信号を発生し、制御信号及び座標情報信号は、相対する制御モジュールと、
スクリーンと接続し、駆動装置は、制御信号を受信し、駆動され、且つ座標情報信号に基づきスクリーンを回転させ、スクリーンを顔に向かせる駆動装置と、
を含む頭部イメージ識別機能を有する自動回転表示装置。
【請求項２】
更に、スピーカモジュールを含み、該制御モジュールが該駆動装置の該スクリーンの回転を制御する時、同時に該スピーカモジュールの音声の発信を制御する請求項１に記載の頭部イメージ識別機能を有する自動回転表示装置。
【請求項３】
更に、発光モジュールを含み、該制御モジュールが該駆動装置の該スクリーンの回転を制御する時、同時に該発光モジュールの発光を制御する請求項１に記載の頭部イメージ識別機能を有する自動回転表示装置。
【考案の詳細な説明】
【技術分野】
【０００１】
本考案は、表示装置に関し、特に、頭部イメージ識別機能を有する自動回転表示装置に関する。
【背景技術】
【０００２】
表示装置は、イメージを表示する機能を有し、視覚は、最も良好な情報源の１つであるので、表示装置は、現在の情報社会で不可欠な電子装置となっている。
【０００３】
通常、表示装置は、オフィスデスクの卓面の大きさによって、卓面の左側又は右側に置かれ、より多くの卓面空間を確保し、使用者の文書作成を便利にする。但し、使用者は、不適切な姿勢で表示装置のスクリーンを見易くなり、例えば、首が歪んだりする。長期の使用において、使用者は、首のコリ等の病状又は視力の低下の現象が発生し易くなる。また、長時間座っていると容易に身体が疲労し、或いは、使用者の視線がキーボードと表示装置の間を往復したり、使用者が着席を繰り返したりすることにより、何れも使用者が正しい姿勢及び着席姿勢を維持することが困難になる。長期的に正しくない姿勢と取ると、使用者の筋肉損傷又は骨格の変化を招き易くなる。
【０００４】
上記の状況を改善する為、表示装置は、回転機能を備え、使用者が表示装置のスクリーンを回転させ、スクリーンを顔に向けることができる。しかしながら、表示装置は、回転機能を備えるが、使用者は、随時注意力をスクリーンの回転に置いていることはできず、効果が限られ改善する必要がある。
【０００５】
これに鑑みて、頭部イメージ識別機能を有する自動回転表示装置の開発が望まれる。
【考案の概要】
【考案が解決しようとする課題】
【０００６】
本考案の目的は、スクリーンが自動で人の顔に向くことができる表示装置を提供することにある。
【課題を解決するための手段】
【０００７】
上記の目的を達成するため、本考案は、頭部イメージ識別機能を有する自動回転表示装置を提供し、表示装置は、スクリーン、イメージ取得装置、制御モジュール及び駆動装置を含む。イメージ取得装置は、スクリーン前方のイメージを取得し、且つイメージ信号を相対して発生する。制御モジュールは、イメージ信号を受信し、顔の特徴に基づき、イメージ中の顔の位置を識別し、且つ顔の位置に基づき、座標情報信号を発生し、制御信号を発生し、制御信号及び座標情報信号は、相対する。駆動装置は、スクリーンと接続し、駆動装置は、制御信号を受信し、駆動され、且つ座標情報信号に基づきスクリーンを回転させ、スクリーンを顔に向かせる。
【０００８】
上記の頭部イメージ識別機能を有する自動回転表示装置は、そのうち、スクリーンが液晶式スクリーン、プラズマ式スクリーン、投影式スクリーン又は発光ダイオード式スクリーンである。
【０００９】
上記の頭部イメージ識別機能を有する自動回転表示装置は、そのうち、イメージ取得装置がカメラである。
【００１０】
上記の頭部イメージ識別機能を有する自動回転表示装置は、そのうち、制御モジュール及びイメージ取得装置の間がＲＳ２３２又はＵＳＢ（Universal Serial Bus）の有線方式で電気接続される。
【００１１】
上記の頭部イメージ識別機能を有する自動回転表示装置は、そのうち、制御モジュール及びイメージ取得装置の間がブルートゥース又は赤外線の無線方式で電気接続される。
【００１２】
上記の頭部イメージ識別機能を有する自動回転表示装置は、そのうち、顔の特徴が顔の皮膚の色又は顔の器官の形状である。
【００１３】
上記の頭部イメージ識別機能を有する自動回転表示装置は、そのうち、駆動装置がモータである。
【００１４】
上記の頭部イメージ識別機能を有する自動回転表示装置は、そのうち、モータのモータ回転軸及びスクリーンが直接相互に接続する。
【００１５】
上記の頭部イメージ識別機能を有する自動回転表示装置は、そのうち、モータは、歯車を介しスクリーンと間接的に接続する。
【００１６】
上記の頭部イメージ識別機能を有する自動回転表示装置は、更に、スピーカモジュールを含み、制御モジュールが、駆動装置がスクリーンを回転させるのを制御する時、同時にスピーカモジュールの音声の発信を制御する。
【００１７】
上記の頭部イメージ識別機能を有する自動回転表示装置は、そのうち、発光モジュールが発光ダイオードである。
【考案の効果】
【００１８】
上記のように、本考案は、スクリーン、イメージ取得装置、制御モジュール及び駆動装置によりスクリーンが自動で顔に向くことができる表示装置を提供し、スピーカモジュールにより音声を発するか、発光モジュールにより光を発し、スクリーンが自動回転することを告知する。
【図面の簡単な説明】
【００１９】
【図１】本考案の頭部イメージ識別機能を有する自動回転表示装置の第１実施例の機能ブロック図である。
【図２】駆動装置及びスクリーンが直接接続する説明図である。
【図３】駆動装置及びスクリーンの直接接続する説明図である。
【図４】制御モジュールの制御フロー図である。
【図５】本考案の頭部イメージ識別機能を有する自動回転表示装置の第１実施例の変位説明図である。
【図６】本考案の頭部イメージ識別機能を有する自動回転表示装置の第２実施例の変位説明図である。
【図７】本考案の頭部イメージ識別機能を有する自動回転表示装置の第３実施例の変位説明図である。
【考案を実施するための形態】
【００２０】
当業者に本考案の目的、特徴及び効果を理解させるため、下記の具体的実施例を挙げ、図面に合わせ、本考案について詳細に説明する。
【００２１】
本考案は、自動で顔に向くことができる表示装置を提供する。図１は、本考案の頭部イメージ識別機能を有する自動回転表示装置の第１実施例の機能ブロック図である。図１を参考にし、表示装置１０は、スクリーン１１と、イメージ取得装置１２、制御モジュール１３及び駆動装置１４を含む。スクリーン１１は、液晶式スクリーン、プラズマ式スクリーン、投影式スクリーン又は発光ダイオード式スクリーンの何れか１種であることができる。イメージ取得装置１２は、カメラであり、スクリーン１１中間真上に位置する（図２参照）。制御モジュール１３は、マイクロプロセッサ（Micro Processer）であり、制御モジュール１３内に顔識別ソフトウェアをインストールする。制御モジュール１３及びイメージ取得装置１２の間は、ＲＳ２３２、ＵＳＢ（Universal Serial Bus）の有線方式を介するか、ブルートゥース、赤外線の無線方式を介し、電気接続することができる。制御モジュール１３は、更に、駆動装置１４と電気接続する。また、表示装置１０は、更に、ストレージモジュールを含むことができ、ストレージモジュールは、表示装置１０のスクリーン１１上に表示する情報を保存する。
【００２２】
図２は、駆動装置及びスクリーンが直接接続する説明図であり、図３は、駆動装置及びスクリーンが間接的に接続する説明図であり、図２及び図３を参照し、駆動装置１４は、モータであり、モータのモータ回転軸及びスクリーン１１は、直接接続するか、モータが歯車を介しスクリーン１１と間接接続する。
【００２３】
図４は、制御モジュールの制御フロー図である。図１〜図４を同時に参照し、先ずステップＳ２０１において、制御モジュール１３は、イメージ取得装置１２が取得するスクリーン１１前方のイメージを受信し、且つ相対してイメージ信号を発生する。続いて、ステップＳ２０２において、制御モジュール１３は、イメージ信号を受信し、顔の特徴に基づき、イメージ１７（図５参照）中の顔１８（図５参照）の位置を識別する。イメージ１７において、顔１８以外に、背景を含むので、顔の皮膚の色又は顔の器官の形状等の顔の特徴に基づき、イメージ中の顔の位置を識別する必要がある。顔の皮膚の色については、イメージ中の顔の皮膚の色及び背景は、通常異なる色を有する。従って、色の違いに基づきイメージ中の顔の位置を識別することができる。但し、光強度のイメージに対する影響を低減するため、先ず、イメージ取得装置１２が取得するイメージをＲＧＢ（Red、Green、Blue）色彩空間から光強度の影響を受け難いＮＣＣ（Normalized Television Standards Committee）又はＨＳＬ（Hue，Saturation，Luminance）色彩空間に変換する必要がある。また、顔の皮膚の色は、色度分布が集中する特性を有するので、変換後、イメージ中の色度分布が集中する領域がイメージ中の顔の位置である。
【００２４】
続いて、ステップＳ２０３において、制御モジュール１３は、顔の位置に基づき、座標情報信号を発生し、制御信号を発生し、制御信号は、座標イメージと相対する。目、眉毛及び唇等の顔の器官及び顔の皮膚の色は、通常異なる色であるので、顔器官の位置を略特定することができ、また、顔の器官の位置により顔の中心点１７ａ（図５参照）の位置を特定することもでき、顔の中心点１７ａの位置は、およそ鼻の箇所にある。また、制御モジュール１３は、顔の中心点１７ａの座標情報信号を算出し、制御信号を発生することができ、制御信号は、座標情報信号と相対する。最後に、ステップＳ２０４において、駆動装置１４は、制御信号を受け、駆動され、且つ座標情報信号に基づき、スクリーンを回転し、スクリーン１１を顔に向ける。
【００２５】
図５は、本考案の頭部イメージ識別機能を有する自動回転表示装置の第１実施例の変位説明図である。図１〜図５を同時に参照し、制御モジュール１３は、図４の制御フローステップにより、顔の位置に基づき座標情報信号を発生し、座標情報信号は、顔中心点１７ａを含み、制御モジュール１３は、更に、イメージ取得装置１２の撮影中心点の座標情報信号を取得し、イメージ取得装置１２の撮影中心点は、イメージ１８のイメージ中心点１８ａである。制御モジュール１３が顔１７のイメージ１８中の座標情報信号に対応し、スクリーン１１を回転する時、制御モジュール１３は、図５に示すような矢印方向１９で駆動装置１４のスクリーン１１の回転を制御し、イメージ取得装置１２の撮影中心点（即ち、イメージ中心点１８ａ）を顔１７の顔中心点１７ａに向けて移動させる。
【００２６】
図６は、本考案の頭部イメージ識別機能を有する自動回転表示装置の第２実施例の機能ブロック図である。図６を参照し、表示装置２０及び図１が示す表示装置１０の差異は、スピーカモジュール１５をさらに含むことにある。制御モジュール１３が制御信号を駆動装置１４に出力し、駆動装置１４のスクリーン１１の回転を制御する時、同時にもう１つの制御信号をスピーカモジュール１５に出力し、スピーカモジュール１５の音声の発信を制御し、例えば、ビープ音であり、音声によりスクリーン１１が回転されていることを表現する。スピーカモジュール１５は、ブザー、内蔵スピーカ又は内蔵マイクロフォンである。
【００２７】
図７は、本考案のイメージ識別機能を有する自動回転表示装置の第３実施例の機能ブロック図である。図７を参照し、表示装置３０及び図１が示す表示装置１０の差異は、それがさらに発光モジュール１６を含むことにある。制御モジュール１３が制御信号を駆動装置１４に出力し、駆動装置１４のスクリーン１１の回転を制御する時、同時にもう１つの制御信号を発光モジュール１６に出力し、発光モジュール１６の発光を制御し、例えば、赤色光又は緑色光であり、光によりスクリーン１１が回転されていることを表現する。発光モジュール１６は、発光ダイオードである。
【００２８】
上記のように、本考案は、スクリーン、イメージ取得装置、制御モジュール及び駆動装置により自動で顔に向くことができる表示装置を提供し、スピーカモジュールの発する音声又は発光モジュールの発光によりスクリーンが自動回転することを告知する。
【００２９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３０】
１０，２０，３０  表示装置
１１  スクリーン
１２  イメージ取得装置
１３  制御モジュール
１４  駆動装置
１５  スピーカモジュール
１６  発光モジュール
１７  顔
１８  イメージ
１９  矢印方向
１７ａ  顔中心点
１８ａ  イメージ中心点
【図１】
0003169755.tif 000003
【図２】
0003169755.tif 000004
【図３】
0003169755.tif 000005
【図４】
0003169755.tif 000006
【図５】
0003169755.tif 000007
【図６】
0003169755.tif 000008
【図７】
0003169755.tif 000009
【手続補正書】
【提出日】平成23年6月10日(2011.6.10)
【手続補正１】
【補正対象書類名】実用新案登録請求の範囲
【補正対象項目名】請求項１
【補正方法】変更
【補正の内容】
【請求項１】
スクリーン前方のイメージを取得し、且つイメージ信号を相対して発生するイメージ取得装置と、
前記イメージ信号を受信し、顔の特徴に基づいて前記イメージ中の前記顔の位置を識別し、且つ前記顔の位置に基づいて座標情報信号を発生し、さらに該座標情報信号に相対する制御信号を発生する制御モジュールと、
前記制御信号を受信して駆動し、且つ前記スクリーンと接続し、前記座標情報信号に基づいて前記スクリーンを回転させて前記スクリーンを前記顔に向かせる駆動装置と、
を含む頭部イメージ識別機能を有する自動回転表示装置。